(57)【特許請求の範囲】
【請求項１】
縦方向に腹側領域および背側領域と、それらの間に位置する股下領域とを備え、前記腹側領域と前記背側領域とに亘って吸収体を有し、該吸収体の縦方向の前後端部それぞれから外方に位置して横方向に延びる腹側ウエストフラップ及び背側ウエストフラップを有する使い捨ておむつであって、
少なくとも前記背側ウエストフラップは、肌当接面を形成する肌側シートを有し、
前記肌側シートは、前記吸収体を構成する吸収性コアの縦方向の端部を覆って横方向に延びており、少なくとも前記吸収性コアと重なる領域に、該肌側シートを貫通する開口を有しており、
前記開口は、最も狭い位置での開口の長さが０．５ｍｍ以上であり、
前記肌側シートは、少なくとも前記吸収性コアと重なる領域に、横方向に連続して延びる線状融着部を有し、該線状融着部は、その繊維密度が該肌側シートにおける該線状融着部以外の部分の繊維密度よりも高い、使い捨ておむつ。
【請求項２】
縦方向に腹側領域および背側領域と、それらの間に位置する股下領域とを備え、前記腹側領域と前記背側領域とに亘って吸収体を有し、該吸収体の縦方向の前後端部それぞれから外方に位置して横方向に延びる腹側ウエストフラップ及び背側ウエストフラップを有する使い捨ておむつであって、
少なくとも前記背側ウエストフラップは、肌当接面を形成する肌側シートを有し、
前記肌側シートは、前記吸収体を構成する吸収性コアの縦方向の端部を覆って横方向に延びており、少なくとも前記吸収性コアと重なる領域に、該肌側シートを貫通する開口を有しており、
前記開口は、その開口面積が０．５ｍｍ2以上であり、
前記肌側シートは、少なくとも前記吸収性コアと重なる領域に、横方向に連続して延びる線状融着部を有し、該線状融着部は、その繊維密度が該肌側シートにおける該線状融着部以外の部分の繊維密度よりも高い、使い捨ておむつ。
【請求項３】
前記肌側シートは、疎水性である請求項１又は２に記載の使い捨ておむつ。
【請求項４】
前記使い捨ておむつは、前記吸収体を挟持する親水性の表面シート及び液難透過性の裏面シートを有し、
前記吸収性コアと重なる領域においては、前記肌側シートの非肌対向面と前記表面シートの肌対向面とが接着剤を介して固定されている請求項１〜３の何れか１項に記載の使い捨ておむつ。
【請求項５】
前記開口は、前記横方向に連続して延びる線状融着部上に配されている請求項１〜４の何れか１項に記載の使い捨ておむつ。
【発明の詳細な説明】
【技術分野】
【０００１】
本発明は、使い捨ておむつに関する。
【背景技術】
【０００２】
従来より、使い捨ておむつの肌に触れる面に、汗を吸収するシート等を設け、湿疹、あせも、かぶれ等の発生を効果的に防止する使い捨ておむつが知られている（例えば、特許文献１）。
【０００３】
特許文献１には、使い捨ておむつの通気性を向上させるために、汗を吸収する通気性の吸汗シートに多数の開孔を設けることが記載されている。
【０００４】
これとは別の技術として、本出願人は、先に、パンツ型使い捨ておむつを構成する外装体が、縦方向に延びる筒状部を幅方向に並置して形成されており、該筒状部を構成する肌当接面側に配されたシートの凸部に、該筒状部の内部に繋がる開孔が縦方向に間欠的に複数形成されているパンツ型使い捨ておむつを提案した（例えば、特許文献２）。
【先行技術文献】
【特許文献】
【０００５】
【特許文献１】特開２０００−１８９４５４号公報
【特許文献２】特開２０１１−７８４７７号公報
【発明の概要】
【発明が解決しようとする課題】
【０００６】
しかし、特許文献１には、吸汗シートに設けた多数の開孔と吸収体との配置位置に関して、何ら記載されておらず、特許文献１に記載の使い捨ておむつでは、汗を十分に吸収することができなかった。
【０００７】
また、特許文献２には、外装体に構成された開孔と吸収体との配置位置に関して、何ら記載されていない。
【０００８】
したがって本発明は、前述した従来技術が有する欠点を解消し得る使い捨ておむつを提供することにある。
【課題を解決するための手段】
【０００９】
本発明は、縦方向に腹側領域および背側領域と、それらの間に位置する股下領域とを備え、前記腹側領域と前記背側領域とに亘って吸収体を有し、該吸収体の縦方向の前後端部それぞれから外方に位置して横方向に延びる腹側ウエストフラップ及び背側ウエストフラップを有する使い捨ておむつであって、少なくとも前記背側ウエストフラップは、肌当接面を形成する肌側シートを有し、前記肌側シートは、前記吸収体を構成する吸収性コアの縦方向の端部を覆って横方向に延びており、少なくとも前記吸収性コアと重なる領域に、該肌側シートを貫通する開口を有している、使い捨ておむつを提供するものである。
【発明の効果】
【００１０】
本発明によれば、吸収した汗を素早く吸収体に移行させ、湿疹、汗疹、かぶれ等の皮膚トラブルを低減することができる。
【図面の簡単な説明】
【００１１】
【図１】図１は、本発明の一実施形態であるパンツ型使い捨ておむつの斜視図である。
【図２】図２は、図１に示すおむつを展開して引き伸ばした状態を肌当接面側から視た展開平面図である。
【図３】図３は、図２に示すおむつの有する外装体を構成する肌側シート４の一部の要部拡大平面図である。
【図４】図４は、図１に示すおむつにおけるウエスト伸縮部の横方向(Ｙ方向)に沿う断面を示す拡大断面図である。
【発明を実施するための形態】
【００１２】
以下、本発明をその好ましい実施形態に基づき図面を参照しながら説明する。
本発明の使い捨ておむつは、縦方向Ｘに腹側領域Ａおよび背側領域Ｂと、それらＡ，Ｂの間に位置する股下領域Ｃとを備え、腹側領域Ａと背側領域Ｂとに亘って吸収体２３を有し、吸収体２３の縦方向Ｘの前後端部２３Ａ，２３Ｂそれぞれから外方に位置して横方向Ｙに延びる腹側ウエストフラップＦＡ及び背側ウエストフラップＦＢを有している。ここで、腹側領域Ａとは使い捨ておむつの着用時に着用者の腹側に配される領域であり、背側領域Ｂとは使い捨ておむつの着用時に着用者の背側に配される領域である。そして、腹側ウエストフラップＦＡとは、吸収体２３の縦方向Ｘの腹側領域Ａ側の前端部２３Ａの端縁から縦方向Ｘ外方に位置して横方向Ｙに延びる領域と、吸収体２３の縦方向Ｘの腹側領域Ａ側の前端部２３Ａから横方向Ｙに延びる領域とを合わせた領域を意味する。また、背側ウエストフラップＦＢとは、吸収体２３の縦方向Ｘの背側領域Ｂ側の後端部２３Ｂの端縁から縦方向Ｘ外方に位置して横方向Ｙに延びる領域と、吸収体２３の縦方向Ｘの背側領域Ｂ側の後端部２３Ｂから横方向Ｙに延びる領域とを合わせた領域を意味する。
【００１３】
図１及び図２には、本発明の使い捨ておむつの一実施形態であるパンツ型使い捨ておむつ１（以下、「おむつ１」ともいう。）が示されている。おむつ１は、図１及び図２に示すとおり、吸収性本体２と、吸収性本体２の非肌対向面側に配されて該吸収性本体２を固定する外装体３とを備え、外装体３は、吸収性本体２を構成する吸収体２３の縦方向Ｘの前後端部２３Ａ，２３Ｂから外方に位置して横方向Ｙに延びる腹側ウエストフラップＦＡ及び背側ウエストフラップＦＢを有している。おむつ１は、外装体３の腹側領域Ａの左右両側縁部３ａ１，３ａ１と外装体３の背側領域Ｂの左右両側縁部３ｂ１，３ｂ１とが接合されて一対のサイドシール部Ｓ，Ｓ、ウエスト開口部ＷＯ及び一対のレッグ開口部ＬＯ，ＬＯが形成されている使い捨ておむつである。好適に、おむつ１の外装体３は、図２に示すように、展開させかつ伸長させた状態を平面視して、着用時に着用者の腹側に配される腹側領域Ａ、着用時に着用者の背側に配される背側領域Ｂ、及び腹側領域Ａと背側領域Ｂとの間の股下領域Ｃに区分されている。
【００１４】
上述したおむつ１を展開させかつ伸長させた状態とは、図２に示すように、サイドシール部Ｓを引き剥がして、おむつ１を展開状態とし、その展開状態のおむつ１を、各部の弾性部材を伸長させて、設計寸法（弾性部材の影響を一切排除した状態で平面状に広げたときの寸法と同じ）となるまで広げた状態を意味する。
【００１５】
本明細書において、「肌当接面」とは、おむつ１又はその構成部材（例えば外装体３）における、着用時に着用者の肌に当接する面を意味する。また、「肌対向面」とは、おむつ１又はその構成部材における、着用時に着用者の肌側に向けられる面であり、「非肌対向面」とは、おむつ１又はその構成部材における、着用時に着用者の肌側とは反対側（着衣側）に向けられる面である。おむつ１において、縦方向（Ｘ方向）とは、平面に展開させかつ伸長させた状態で、腹側領域Ａから背側領域Ｂにわたる方向のことである。また、横方向（Ｙ方向）とは、縦方向（Ｘ方向）と直交する方向であり、平面に展開させかつ伸長させた状態のおむつ１の幅方向のことである。
また、おむつ１は、図２に示す、縦方向（Ｘ方向）に延びる縦中心線ＣＬ１に対して左右対称形となっている。尚、図２中のＣＬ２は、おむつ１を二分する横方向（Ｙ方向）に延びる横中心線であり、縦中心線ＣＬ１に直交している。
【００１６】
おむつ１は、吸収体２３を挟持する親水性の表面シート２１及び液難透過性の裏面シート２２を有している。好適に、おむつ１では、吸収性本体２は、図２に示すとおり、おむつ１を展開させかつ伸長させた状態において、縦方向（Ｘ方向）が相対的に長い縦長の形状を有している。吸収性本体２は、肌対向面を形成する液透過性の親水性の表面シート２１と、非肌対向面を形成する液難透過性（撥水性も含む）の裏面シート２２と、これら両シート２１，２２間に介在配置された液保持性の吸収体２３とを具備する。ここで、吸収体２３は、吸水性ポリマーを有する吸収性コア２３１と、該吸収性コア２３１を包むコアラップシート（不図示）とから構成されている。吸収性コア２３１は、パルプ繊維等の繊維材料からなる繊維集合体に吸水性ポリマーを保持させたものからなる。吸収性コア２３１は、上下両面を、ティッシュペーパーや透水性の不織布からなるコアラップシート（不図示）によって被覆されている。
【００１７】
また、おむつ１では、吸収性本体２の縦方向（Ｘ方向）に沿う両側部には、図２に示すように、縦方向（Ｘ方向）に伸長状態で配された弾性部材２５を有する防漏カフ２４，２４が設けられている。具体的には、防漏カフ２４は、液不透過性又は撥水性で且つ通気性の素材から構成されており、各防漏カフ２４の自由端部近傍には、防漏カフ形成用弾性部材２５が縦方向（Ｘ方向）に伸長した状態で配されている。おむつの着用時には、防漏カフ形成用弾性部材２５の収縮により防漏カフ２４の自由端部側が起立して、横方向（Ｙ方向）への体液の流出が阻止される。
【００１８】
以上のように構成された吸収性本体２は、図２に示すように、その縦方向（Ｘ方向）を、展開かつ伸長状態におけるおむつ１の縦方向（Ｘ方向）に一致させて、外装体３の中央部に、本体固定用接着剤によって接合されている。このように、外装体３は、使い捨ておむつ１の厚み方向における、吸収性本体２を構成する裏面シート２２の非肌対向面側に配されて接着固定されている。従って、おむつ１では、吸収性本体２を構成する吸収体２３が、腹側領域Ａと背側領域Ｂとに亘って配されている。
【００１９】
吸収体２３の縦方向Ｘの前後端部２３Ａ，２３Ｂから外方に位置して横方向Ｙに延びる腹側ウエストフラップＦＡ及び背側ウエストフラップＦＢの内の少なくとも背側ウエストフラップＦＢは、肌当接面を形成する肌側シート４を有している。おむつ１では、図２に示すように、腹側ウエストフラップＦＡ及び背側ウエストフラップＦＢに、それぞれ、肌側シート４を有し、更に、肌側シート４の非肌対向面側に位置する非肌側シート５と、非肌側シート５の非肌対向面側に位置する外層シート６とを有している。
【００２０】
好適に、おむつ１では、外装体３が、図２に示すように、吸収体２３の縦方向Ｘの前後端部２３Ａ，２３Ｂそれぞれから外方に位置して横方向Ｙに延びる腹側ウエストフラップＦＡ及び背側ウエストフラップＦＢを有している。そして、外装体３は、図２，図３に示すように、おむつ１の外面を形成する非肌対向面側の外層シート６、最も肌対向面側の肌側シート４、外層シート６と肌側シート４との間に配された内層シートを有している。おむつ１では、該内層シートが非肌側シート５に該当する。そして、おむつ１では、肌側シート４は疎水性であり、非肌側シート５は親水性であり、外層シート６は疎水性である。
【００２１】
更に好適に、おむつ１では、図２に示すように、腹側領域Ａ及び背側領域Ｂそれぞれにおける外層シート６を構成するシート材が、ウエスト開口部ＷＯの周縁部に沿って非肌側シート５の肌対向面側に折り返されており、その折り返し部分６Ｒが、吸収性本体２を構成する吸収体２３の縦方向（Ｘ方向）の前後端部２３Ａ，２３Ｂを覆っている。肌側シート４、非肌側シート（内層シート）５及び外層シート６は、それぞれ、別体のシートであってもよいが、おむつ１では、肌側シート４が、外層シート６の折り返し部分６Ｒで形成されている。このように、おむつ１では、背側ウエストフラップＦＢ及び腹側ウエストフラップＦＡそれぞれの非肌側シート５の肌対向面側に、肌側シート４が配されている。おむつ１では、折り返し部分６Ｒを除く外層シート６及び非肌側シート５は、図２に示すように、縦方向（Ｘ方向）中央部において縦中心線ＣＬ１に向かって内方に括れており、互いに同形同大に形成されている。外層シート６の折り返し部分６Ｒで形成された肌側シート４は、横方向（Ｙ方向）に長い矩形状に形成されている。
【００２２】
おむつ１では、肌側シート４は、吸収性コア２３１の縦方向（Ｘ方向）の端部を覆って横方向（Ｙ方向）に延びている。上述のように、おむつ１では、図２に示すように、背側ウエストフラップＦＢ及び腹側ウエストフラップＦＡのそれぞれに、肌側シート４が配されている。その為、背側ウエストフラップＦＢに配された肌側シート４は、吸収性コア２３１の縦方向（Ｘ方向）の後端部２３１Ｂを覆って横方向（Ｙ方向）に延びている。また、腹側ウエストフラップＦＡに配された肌側シート４は、吸収性コア２３１の縦方向（Ｘ方向）の前端部２３１Ａを覆って横方向（Ｙ方向）に延びている。
【００２３】
おむつ１では、肌側シート４は、少なくとも吸収性コア２３１と重なる領域に、肌側シート４を貫通する開口４５を有している。おむつ１では、開口４５は、図２に示すように、吸収性コア２３１と重なる領域のみならず、吸収性コア２３１の縦方向（Ｘ方向）に沿う両側縁から外方の領域にも形成されている。即ち、複数の開口４５が、肌側シート４の横方向（Ｙ方向）の全域に配されている。開口４５の形状としては、特に限定されるものではなく、円形状、長円形状、楕円形状、矩形状等が挙げられる。
【００２４】
おむつ１では、肌側シート４の開口４５は、着用者の汗を吸収性コア２３１側に移行する観点から、その直径Ｌ３（図３参照）が、０．５ｍｍ以上であることが好ましく、１ｍｍ以上であることが更に好ましく、そして、５ｍｍ以下であることが好ましく、２．５ｍｍ以下であることが更に好ましく、具体的には、０．５ｍｍ以上５ｍｍ以下であることが好ましく、１ｍｍ以上２．５ｍｍ以下であることが更に好ましい。ここで、開口４５の直径Ｌ３（図３参照）とは、最も狭い位置での開口４５の長さを意味する。
【００２５】
また、おむつ１では、着用者の汗を吸収性コア２３１側に移行する観点から、肌側シート４の開口４５は、該開口４５一つの開口面積が、０．５ｍｍ2以上であることが好ましく、０．７５ｍｍ2以上であることが更に好ましく、そして１０ｍｍ2以下であることが好ましく、８ｍｍ2以下であることが更に好ましく、具体的には、０．５ｍｍ2以上１０ｍｍ2以下であることが好ましく、０．７５ｍｍ2以上８ｍｍ2以下であることが更に好ましい。
【００２６】
また、おむつ１では、着用者の汗を吸収性コア２３１側に移行する観点から、おむつ１の背側ウエストフラップＦＢでは、図２に示すように展開させかつ伸長させた状態を平面視して、肌側シート４と吸収性コア２３１とが重なる領域の面積に対する開口４５の面積の総計の比率は、１％以上であることが好ましく、３％以上であることがより好ましく、そして、５０％以下であることが好ましく、３０％以下であることがより好ましく、具体的には、１％以上５０％以下であることがより好ましく、３％以上３０％以下であることがより好ましい。
【００２７】
おむつ１では、肌側シート４は、少なくとも吸収性コア２３１と重なる領域に、横方向（Ｙ方向）に連続して延びる線状融着部４６を有している。線状融着部４６は、肌側シート４の構成繊維どうしが融着して形成されている。おむつ１では、線状融着部４６は、図２に示すように、吸収性コア２３１と重なる領域のみならず、吸収性コア２３１の縦方向（Ｘ方向）に沿う両側縁から外方の領域にも延びて形成されている。即ち、おむつ１では、線状融着部４６が肌側シート４の横方向（Ｙ方向）の全域に延びて形成されており、このように延びた線状融着部４６が、縦方向（Ｘ方向）に間隔を空けて複数本（おむつ１では３本）配されている。線状融着部４６は、その密度が、肌側シート４における線状融着部４６以外の部分の密度よりも高くなっている。線状融着部４６は、おむつ１では３本であるが、１本以上３０本以下であることが好ましく、３本以上２０本以下であることが更に好ましい。
【００２８】
おむつ１では、肌側シート４の線状融着部４６は、着用者の汗を吸収性コア２３１側に移行する観点から、その縦方向（Ｘ方向）の長さＬ４（図３参照）が、０．５ｍｍ以上であることが好ましく、１ｍｍ以上であることが更に好ましく、そして、５０ｍｍ以下であることが好ましく、３０ｍｍ以下であることが更に好ましく、具体的には、０．５ｍｍ以上５０ｍｍ以下であることが好ましく、１ｍｍ以上３０ｍｍ以下であることが更に好ましい。ここで、線状融着部４６の長さＬ４（図３参照）とは、線状融着部４６における最も狭い位置での縦方向（Ｘ方向）の長さを意味する。
また、おむつ１のように線状融着部４６を複数本有している場合、同様な観点から、縦方向（Ｘ方向）に隣り合う線状融着部４６，４６どうしの間隔Ｌ５（図３参照）が、０．５ｍｍ以上であることが好ましく、１ｍｍ以上であることが更に好ましく、そして、５０ｍｍ以下であることが好ましく、３０ｍｍ以下であることが更に好ましく、具体的には、０．５ｍｍ以上５０ｍｍ以下であることが好ましく、１ｍｍ以上３０ｍｍ以下であることが更に好ましい。
【００２９】
また、おむつ１では、開口４５は、横方向（Ｙ方向）に連続して延びる線状融着部４６上に配されている。ここで、開口４５が線状融着部４６上に配されているとは、開口４５が線状融着部４６の領域の範囲内に配されている形態、或いは、開口４５が線状融着部４６の領域の範囲内から外方にはみ出して配されている形態を含む意味である。おむつ１では、複数本の線状融着部４６を有し、各線状融着部４６上に開口４５が横方向（Ｙ方向）に不均一な間隔を空けて配されている。そして、おむつ１では、縦方向（Ｘ方向）に隣り合う線状融着部４６，４６上に、各開口４５がランダムに配されている。
【００３０】
開口４５は、例えば、該開口４５の形状に対応した凸部を外周面に有するエンボスロールとアンビルロールとを備えた熱エンボス装置を用い、該エンボスロールと該アンビルロールとの間に肌側シート４を搬送して熱エンボス加工を施し、肌側シート４の構成繊維が開口するまで溶融して形成することができる。また、開口４５が配された線状融着部４６は、例えば、線状融着部４６の縦方向（Ｘ方向）の長さＬ４（図３参照）に対応した幅の第１凸部を全周に亘って有するエンボスロールとアンビルロールとを備えた第１熱エンボス装置と、開口４５の形状に対応した第２凸部を有するエンボスロールとアンビルロールとを備えた第２熱エンボス装置を用い、第１エンボス装置のエンボスロールとアンビルロールとの間に肌側シート４を搬送して熱エンボス加工を施して、肌側シート４の構成繊維を溶融して線状融着部４６を形成する。その後、線状融着部４６の形成された肌側シート４を第２エンボス装置のエンボスロールとアンビルロールとの間に搬送して、線状融着部４６上に熱エンボス加工を施し、線状融着部４６における肌側シート４の構成繊維が開口するまで溶融して形成することができる。開口４５又は線状融着部４６を形成する加工として、熱エンボス加工に代えて、超音波シール、レーザー等を採用することもできる。
【００３１】
肌側シート４は、その坪量が、着用者の汗を吸収性コア２３１側に移行する観点から、３０ｇ／ｍ2以下であることが好ましく、２５ｇ／ｍ2以下であることがより好ましく、２０ｇ／ｍ2以下であることが更に好ましく、下限は８ｇ／ｍ2である。肌側シート４の坪量は、測定可能なシートの面積とその重量から測定することができる。その際の測定では、２３±２℃、相対湿度５０±５％で行い、測定の前に試料を同環境で２４時間以上保存した上で測定する。
【００３２】
また、外装体３では、肌側シート４と非肌側シート５とは、例えば後述する熱エンボス加工による接合部８で固定されていてもよいが、おむつ１では、接着剤９（図４参照）を介して接着されている。接着剤９は、肌側シート４の非肌対向面に、例えばスパイラル状に塗工されている。そして、肌側シート４の非肌対向面に塗工された接着剤９を介して、吸収性コア２３１と重なる領域においては、肌側シート４の非肌対向面と表面シート２１の肌対向面とが固定されている。
【００３３】
また、おむつ１では、外装体３は、図２に示すように、非肌側シート５と外層シート６との間に、横方向（Ｙ方向）に伸長した状態で、縦方向（Ｘ方向）に間欠的に配された複数の弾性部材７１を有している。おむつ１では、複数の弾性部材７１を備えることにより、ウエスト伸縮部Ｇ１及び胴回り下部伸縮部Ｇ２を形成している。また、おむつ１では、非肌側シート５と外層シート６との間に、図２に示すように、伸長した状態の複数のレッグ弾性部材７２を有している。おむつ１では、複数のレッグ弾性部材７２を備えることにより、レッグ伸縮部Ｇ３を形成している。
【００３４】
おむつ１では、ウエスト伸縮部Ｇ１は、図２に示すように、縦方向（Ｘ方向）において、吸収性本体２を構成する吸収体２３の縦方向（Ｘ方向）の前後端部２３Ａ，２３Ｂの端縁よりも縦方向Ｘの外方（横中心線ＣＬ２側と反対側）に位置するエンドフラップに形成されている。また、おむつ１では、胴回り下部伸縮部Ｇ２は、縦方向（Ｘ方向）において、ウエスト伸縮部Ｇ１の横中心線ＣＬ２側の下端とサイドシール部Ｓの下端との間に位置するサイドフラップに形成されている。上述した背側ウエストフラップＦＢ及び腹側ウエストフラップＦＡは、前記エンドフラップ（ウエスト伸縮部Ｇ１）に、前記サイドフラップ（胴回り下部伸縮部Ｇ２）の一部を合わせた領域でもある。また、おむつ１では、レッグ伸縮部Ｇ３は、図２に示すように、レッグ開口部ＬＯの周縁部に形成されている。
【００３５】
外装体３は、おむつ１では、図２に示すように、非肌側シート５及び外層シート６を接合する複数の接合部８を有している。上述したように、おむつ１では、接合部８は、肌側シート４には形成されていない。おむつ１では、背側ウエストフラップＦＢ及び腹側ウエストフラップＦＡは、非肌側シート５と外層シート６とが、散点状に配置された複数の接合部８にて接合固定されて形成されている。
【００３６】
好適に、おむつ１では、図２に示すように、腹側領域Ａ及び背側領域Ｂそれぞれのウエスト伸縮部Ｇ１から胴回り下部伸縮部Ｇ２に亘る領域に、非肌側シート５と外層シート６との接合部８が、縦方向（Ｘ方向）に沿って一列をなすように間欠的に配されており、その複数の接合部８からなる接合部列８Ｌが、横方向（Ｙ方向）に間隔を開けて複数列配されている。
【００３７】
接合部８は、非肌側シート５と外層シート６とを重ね合わせ、重ね合わせた部分に、熱エンボス加工を施すことにより、溶融固化して形成されており、滅融着している。熱エンボス装置としては、エンボスロールとアンビルロールとを備え、そのエンボスロールの外周面に、接合部８に対応する形状の凸部を有するものを用いることができる。接合部８を形成する加工として、熱エンボス加工に代えて、超音波シール、レーザー等を採用することもできる。
【００３８】
おむつ１では、縦方向(Ｘ方向)に延びる接合部列８Ｌを構成する縦方向(Ｘ方向)に隣り合う接合部８，８どうしの間隔は、汗の拡散性向上の観点から、１ｍｍ以上であることが好ましく、３ｍｍ以上であることがより好ましく、そして、２０ｍｍ以下であることが好ましく、１８ｍｍ以下であることがより好ましく、具体的には、１ｍｍ以上２０ｍｍ以下であることがより好ましく、３ｍｍ以上１８ｍｍ以下であることがより好ましい。
また、横方向(Ｙ方向)に隣り合う接合部列８Ｌ，８Ｌどうしの間隔は、吸収した汗の蒸発性向上の観点から、４ｍｍ以上であることが好ましく、６ｍｍ以上であることがより好ましく、そして、２０ｍｍ以下であることが好ましく、１６ｍｍ以下であることがより好ましく、具体的には、４ｍｍ以上２０ｍｍ以下であることがより好ましく、６ｍｍ以上１６ｍｍ以下であることがより好ましい。
【００３９】
おむつ１は、接合部８で固定された非肌側シート５と外層シート６との間に、横方向(Ｙ方向)に伸長した状態で配され且つ縦方向（Ｘ方向）に間欠的に配された複数の弾性部材７１を有している。好適に、おむつ１では、図２に示すように、腹側領域Ａ及び背側領域Ｂそれぞれのウエスト伸縮部Ｇ１から胴回り下部伸縮部Ｇ２に亘る領域に、複数本の弾性部材７１が、それぞれ、複数の接合部列８Ｌそれぞれの接合部８どうし間の隙間を通って、横方向（Ｙ方向）に伸長状態で配されている。
【００４０】
また、おむつ１では、図２に示すように、外装体３の腹側領域Ａの両側縁部３ａ１，３ａ１及び外装体３の背側領域Ｂの両側縁部３ｂ１，３ｂ１に、非肌側シート５と外層シート６とが弾性部材固定用接着剤を介して接合された一対の外側固定領域３Ｔ１，３Ｔ１を有しており、また、吸収性本体２の縦方向（Ｘ方向）に沿う両側部の近傍に、非肌側シート５と外層シート６とが弾性部材固定用接着剤を介して接合された一対の本体側固定領域３Ｔ２，３Ｔ２を有している。
【００４１】
おむつ１のウエスト伸縮部Ｇ１では、複数本の弾性部材７１が、一対の外側固定領域３Ｔ１，３Ｔ１間に亘って配されており、それらの弾性部材７１は、一対の外側固定領域３Ｔ１，３Ｔ１それぞれにおいて、非肌側シート５と外層シート６との間に固定されている一方、一対の外側固定領域３Ｔ１，３Ｔ１間においては、非肌側シート５及び外層シート６の何れにも固定されていない。
また、おむつ１の胴回り下部伸縮部Ｇ２では、複数本の弾性部材７１が、外側固定領域３Ｔ１と本体側固定領域３Ｔ２との間に亘って配されており、それらの弾性部材７１は、外側固定領域３Ｔ１と本体側固定領域３Ｔ２とのそれぞれにおいて、非肌側シート５と外層シート６との間に固定されている一方、外側固定領域３Ｔ１と本体側固定領域３Ｔ２との間においては、非肌側シート５及び外層シート６の何れにも固定されていない。おむつ１の胴回り下部伸縮部Ｇ２では、一対の本体側固定領域３Ｔ２，３Ｔ２の間に、弾性部材７１が配されていないか、或いは、弾性部材７１が、弾性伸縮性を発現しないように細かく分断される等の処理を施された状態で配されている。その為、おむつ１では、吸収性コア２３１と重なる領域において、吸収体２３に皺が形成され難くなっており、吸収体２３の肌対向面側に配された表面シート２１と、肌側シート４とが、肌側シート４の非肌対向面に塗工された接着剤９によって、密着し易くなっている。
【００４２】
尚、おむつ１のレッグ伸縮部Ｇ３では、レッグ開口部ＬＯの周縁部に伸長状態で配された複数のレッグ弾性部材７２が、レッグ開口部ＬＯの周縁部に面状に配された弾性部材固定用接着剤を介して非肌側シート５と外層シート６との間に固定されている。
【００４３】
おむつ１は、図１及び図４に示すように、非肌側シート５と外層シート６との間に横方向(Ｙ方向)に伸長状態で配され且つ縦方向（Ｘ方向）に間欠的に配された複数の弾性部材７１の収縮により、肌側シート４がおむつ１の内方に膨らむように変形してなるギャザー部Ｇを有している。好適に、おむつ１の外装体３では、ウエスト伸縮部Ｇ１及び胴回り下部伸縮部Ｇ２において、非肌側シート５と外層シート６との間に横方向(Ｙ方向)に伸長状態で配され且つ縦方向（Ｘ方向）に間欠的に配された複数の弾性部材７１の収縮により、横方向(Ｙ方向)に隣接する接合部列８Ｌ，８Ｌどうしの間の外層シート６が外方に膨らむように変形し、且つ、接着剤９を介して固定された肌側シート４及び非肌側シート５が内方に膨らむように変形してギャザー部Ｇが形成される。そして、隣接する接合部列８Ｌ，８Ｌどうしの間に、外層シート６又は肌側シート４及び非肌側シート５からなる襞３Ｆが生じると共に、外層シート６と、肌側シート４及び非肌側シート５との間には、襞３Ｆと襞３Ｆとに周囲を囲まれた中空部３Ｈが形成される。
【００４４】
上述したおむつ１の各部の形成材料について説明する。
おむつ１では、肌側シート４は、疎水性の繊維で構成された疎水性の不織布等からなるシートであり、非肌側シート５は、親水性の繊維で構成された親水性の不織布等からなるシートである。
おむつ１では、外装体３を構成する肌側シート４が外層シート６の折り返し部分６Ｒで形成されているので、折り返し部分６Ｒ（肌側シート４）を含む外層シート６の全体が疎水性の繊維で構成された疎水性のシートで形成されており、外層シート６とは別体の非肌側シート５が親水性のシートで構成されている。
【００４５】
外層シート６（肌側シート４を含む）に用いる疎水性のシートを構成する疎水性繊維としては、合成繊維が挙げられ、具体的には、各種不織布の構成繊維として通常用いられているものを用いることができ、例えば、ポリエチレン（ＰＥ）繊維、ポリプロピレン（ＰＰ）繊維等のポリオレフィン繊維；ポリエチレンテレフタレート（ＰＥＴ）、ポリアミド等の熱可塑性樹脂を単独で用いてなる繊維；芯鞘型、サイドバイサイド型等の構造の複合繊維が挙げられる。
【００４６】
非肌側シート５に用いる親水性のシートを構成する親水性繊維としては、合成繊維を親水化したものが挙げられ、具体的には、疎水性合成繊維を親水化剤で処理したもの、繊維に親水化剤を練り込んだものが挙げられる。また、本来的に親水性を有する繊維、例えば天然系や半天然系の繊維を合成繊維と混合した複合不織布を用いることもできる。合成繊維には、特に限定はないが、ポリエチレン（ＰＥ）繊維、ポリプロピレン（ＰＰ）繊維等のポリオレフィン繊維；ポリエチレンテレフタレート（ＰＥＴ）、ポリアミド等の熱可塑性樹脂を単独で用いてなる繊維；芯鞘型、サイドバイサイド型等の構造の複合繊維が挙げられる。合成繊維の親水化に用いられる親水化剤は、衛生品用途に使用される一般的な親水化剤であれば特に限定されない。親水性を有する繊維には、具体的には、例えば、木材パルプや木綿パルプ、ワラパルプ等の非木材パルプ等の天然セルロース繊維；レーヨン、キュプラ等の再生セルロース繊維が挙げられる。また、親水性のシートには、親水性の不織布以外に、親水性の布も含まれる。親水性の不織布の種類としては、エアスルー不織布、スパンボンド不織布、ヒートロール不織布、スパンレース不織布、又はメルトブロー不織布が挙げられる。
【００４７】
また、おむつ１では、表面シート２１が親水性の繊維で構成された親水性の不織布等からなるシートである。表面シート２１に用いる親水性のシートを構成する親水性繊維としては、非肌側シート５と同様に、合成繊維を親水化したものが挙げられ、具体的には、疎水性合成繊維を親水化剤で処理したもの、繊維に親水化剤を練り込んだものが挙げられる。また、本来的に親水性を有する繊維、例えば天然系や半天然系の繊維を合成繊維と混合した複合不織布を用いることもできる。合成繊維には、特に限定はないが、ポリエチレン（ＰＥ）繊維、ポリプロピレン（ＰＰ）繊維等のポリオレフィン繊維；ポリエチレンテレフタレート（ＰＥＴ）、ポリアミド等の熱可塑性樹脂を単独で用いてなる繊維；芯鞘型、サイドバイサイド型等の構造の複合繊維が挙げられる。合成繊維の親水化に用いられる親水化剤は、衛生品用途に使用される一般的な親水化剤であれば特に限定されない。親水性を有する繊維には、具体的には、例えば、木材パルプや木綿パルプ、ワラパルプ等の非木材パルプ等の天然セルロース繊維；レーヨン、キュプラ等の再生セルロース繊維が挙げられる。また、親水性のシートには、親水性の不織布以外に、親水性の布も含まれる。親水性の不織布の種類としては、エアスルー不織布、スパンボンド不織布、ヒートロール不織布、スパンレース不織布、又はメルトブロー不織布が挙げられる。
【００４８】
シートが親水性であるか疎水性であるかの判断は、以下に述べる〔接触角の測定方法〕で測定される構成繊維の接触角に基づき判断される。具体的には、接触角が９０度以上であれば、親水度の低い疎水性と判断し、接触角が９０度より小さければ、親水度の高い親水性と判断する。下記の方法により測定する接触角は、その値が小さくなれば、親水性が高くなることを意味する。
【００４９】
〔接触角の測定方法〕
接触角の測定には、例えば協和界面科学株式会社製の接触角計ＭＣＡ−Ｊを用いる。具体的には、外周部分４３を構成する繊維の表面に、イオン交換水を滴下（約２０ピコリットル）した後、直ちに前記接触角計を用いて接触角度の測定を行う。測定は、開孔４４の周縁部４４ｅ近傍を構成する繊維、又は窪み部４１の外縁近傍を構成する繊維の５箇所以上の箇所で行い、それらの平均値を接触角とする。尚、測定環境温度は２０℃とする。
【００５０】
また、吸収性本体２を構成する表面シート２１以外の、裏面シート２２、吸収体２３及び防漏カフ２４等としては、使い捨ておむつ等の吸収性物品に従来用いられている各種のもの等を特に制限なく用いることができる。例えば、裏面シート２２としては、透湿性の樹脂フィルム等を用いることができる。吸収体２３としては、吸収性ポリマーの粒子及び繊維材料から構成された吸収コアをティッシュペーパーによって被覆されているものを用いることができる。また、防漏カフ２４としては、撥水性の単層又は多層構造の不織布等を用いることができる。
【００５１】
弾性部材（防漏カフ形成用弾性部材２５、弾性部材７１、レッグ弾性部材７２等）としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形、若しくは多角形状等の糸状（糸ゴム等）、又は紐状（平ゴム等）のもの等を好ましく用いることができる。
【００５２】
接着剤９、弾性部材（防漏カフ形成用弾性部材２５、弾性部材７１、レッグ弾性部材７２等）を固定する弾性部材固定用接着剤、及び外装体３及び吸収性本体２等を固定する本体固定用接着剤としては、使い捨ておむつ等の吸収性物品に従来用いられている各種のホットメルト接着剤等を特に制限なく用いることができる。
【００５３】
上述した本発明の一実施形態のおむつ１を使用した際の作用効果について説明する。
おむつ１では、図２及び図３に示すように、少なくとも背側ウエストフラップＦＢが、肌当接面を形成する肌側シート４を有し、肌側シート４が、少なくとも吸収性コア２３１と重なる領域に、肌側シート４を貫通する開口４５を有している。その為、おむつ１の着用中に、着用者の汗が、肌側シート４の開口４５を通って吸収体２３の吸収性コア２３１に吸収され易い。そして、このように吸収性コア２３１に吸収された着用者の汗は、再び肌側シート４や肌に戻り難くなっている。このように、吸収性コア２３１に移行した着用者の汗が肌に触れ難いので、湿疹、汗疹、かぶれ等の皮膚トラブルを低減することができる。また、おむつ１では、開口４５を有する肌側シート４が疎水性であるので、吸収性コア２３１に吸収された着用者の汗が再び肌側シート４に更に戻り難く、上記効果を一層奏することができる。
【００５４】
また、おむつ１では、吸収体２３の肌対向面側に配された表面シート２１が親水性であるので、おむつ１の着用中に、着用者の汗が、肌側シート４の開口４５を通って親水性の表面シート２１に素早く移行して吸収性コア２３１に更に吸収され易い。そして、吸収性コア２３１と重なる領域においては、肌側シート４と表面シート２１とが、肌側シート４の非肌対向面に塗工された接着剤９によって、固定されているので、着用者の汗が親水性の表面シート２１に更に素早く移行し易く、吸収性コア２３１の有する吸水性ポリマーのポリマー漏れを防止することができる。特に、おむつ１では、胴回り下部伸縮部Ｇ２の一対の本体側固定領域３Ｔ２，３Ｔ２の間において、弾性部材７１が配されていないか、或いは、弾性部材７１が、弾性伸縮性を発現しないように細かく分断される等の処理を施された状態で配されている。その為、おむつ１では、吸収性コア２３１と重なる領域において、吸収体２３に皺が形成され難く、表面シート２１と肌側シート４とが、接着剤９によって密着し易く、着用者の汗が親水性の表面シート２１に更に素早く移行し易い。
【００５５】
また、おむつ１では、肌側シート４を貫通する開口４５が、吸収性コア２３１と重なる領域のみならず、肌側シート４の横方向（Ｙ方向）の全域に配されており、肌側シート４と外装体３を構成する親水性の非肌側シート５とが接着剤９を介して固定されている。その為、吸収性コア２３１と重なる領域以外の領域においては、おむつ１の着用中に、着用者の汗が、肌側シート４の開口４５を通って親水性の非肌側シート５に移行し易く、湿疹、汗疹、かぶれ等の皮膚トラブルを低減することができる。特に、おむつ１では、肌側シート４が疎水性であるので、親水性の非肌側シート５に移行した着用者の汗が再び肌側シート４に更に戻り難く、上記効果を一層奏することができる。
【００５６】
また、おむつ１では、図２及び図３に示すように、肌側シート４は、横方向（Ｙ方向）に連続して延びる線状融着部４６を有している。また、線状融着部４６は、その密度が、肌側シート４における線状融着部４６以外の部分の密度よりも高くなっている。その為、着用者の汗が、おむつ１の縦方向（Ｘ方向）に流れ難くなっている。
【００５７】
また、おむつ１では、図２及び図３に示すように、開口４５が横方向（Ｙ方向）に連続して延びる線状融着部４６上に配されている。上述したように、着用者の汗が、肌側シート４においては、繊維密度の高い線状融着部４６に移行し易くなっている。このように移行した該汗は、肌側シート４の開口４５を通って吸収性コア２３１に吸収され易く、湿疹、汗疹、かぶれ等の皮膚トラブルを低減することができる。
【００５８】
また、おむつ１では、図２に示すように、非肌側シート５の非肌対向面側に疎水性の外層シート６を有し、ウエスト伸縮部Ｇ１から胴回り下部伸縮部Ｇ２に亘る領域に、複数本の弾性部材７１が、それぞれ、複数の接合部列８Ｌそれぞれの接合部８どうし間の隙間を通って、横方向（Ｙ方向）に伸長状態で配されている。そして、図４に示すように、伸長状態で配された弾性部材７１が収縮することにより、隣接する接合部列８Ｌ，８Ｌどうしの間に、肌側シート４及び非肌側シート５と、外層シート６とからなる襞３Ｆが生じると共に、肌側シート４及び非肌側シート５と、外層シート６との間に、襞３Ｆと襞３Ｆとに周囲を囲まれた中空部３Ｈが形成されるようになる。その為、吸収性コア２３１と重なる領域以外の領域においては、非肌側シート５に移行した着用者の汗の蒸発性が向上し、湿疹、汗疹、かぶれ等の皮膚トラブルを更に低減することができる。
【００５９】
着用者の汗が吸収性コア２３１側に移行し易い効果を一層奏する観点から、表面シート２１又は非肌側シート５は、その坪量が、１０ｇ／ｍ2以上であることが好ましく、１５ｇ／ｍ2以上であることが更に好ましく、そして、４０ｇ／ｍ2以下であることが好ましく、３０ｇ／ｍ2以下であることが更に好ましく、具体的には、１０ｇ／ｍ2以上４０ｇ／ｍ2以下であることが好ましく、１５ｇ／ｍ2以上３０ｇ／ｍ2以下であることが更に好ましい。
同様の観点から、表面シート２１又は非肌側シート５は、その厚みが、１００μｍ以上であることが好ましく、１５０μｍ以上であることが更に好ましく、そして、５ｍｍ以下であることが好ましく、３ｍｍ以下であることが更に好ましく、具体的には、１００μｍ以上５ｍｍ以下であることが好ましく、１５０μｍ以上３ｍｍ以下であることが更に好ましい。表面シート２１又は非肌側シート５の厚みの測定は、非肌側シート５に０．０５ｋＰａの荷重を加えた状態で、厚み測定器を用いて測定する。厚み測定器にはオムロン社製のレーザー変位計を用いる。厚み測定は、１０点測定し、それらの平均値を算出して厚みとする。尚、非肌側シート５の厚みの測定は、接合部８を除く部分において測定する。
【００６０】
着用者の汗が吸収性コア２３１側に移行し易い効果を一層奏する観点から、表面シート２１又は非肌側シート５は、その構成繊維全体に対する親水性繊維の配合率が、８０質量％以上であることが好ましく、９０質量％以上であることが更に好ましく、上限は１００質量％である。
【００６１】
また、着用者の汗が吸収性コア２３１側に移行し易い効果を一層奏する観点から、表面シート２１又は非肌側シート５は、ＪＩＳ  Ｐ  ８１４１に準じて測定された３０ｍｍ幅のクレム吸水高さが、６０秒で２０ｍｍ以上であることが好ましく、６０秒で２５ｍｍ以上であることが更に好ましい。非肌側シート５のクレム吸水高さの上限に特に制限はないが、６０秒で３０ｍｍであれば十分に満足すべき効果が得られる。
表面シート２１又は非肌側シート５のクレム吸水高さは、下記の方法により測定する。
【００６２】
〔クレム吸水高さの測定方法〕
パンツ型使い捨ておむつの外装体から、非肌側シート５を取り出す際に、肌側シート４、非肌側シート５及び外層シート６が、熱融着又は接着剤により固定されている場合には、該固定された部分を、溶剤又はドライヤー等による熱風により溶融等して取り除き、非肌側シート５を取り出す。取り出した非肌側シート５をサンプルとして、ＪＩＳ  Ｐ  ８１４１の試験方法に準じてクレム吸水高さを測定する。具体的には、取り出した非肌側シート５を、幅（おむつ１の縦方向(Ｘ方向)の長さ）３０ｍｍ、長さ（おむつ１の横方向(Ｙ方向)の長さ）１５０ｍｍにカットする。カットに際しては、押し切りカッターなど、サンプルを押しつぶす可能性のある切断方法は、結果に影響を及ぼす可能性が高く好ましくない。そのため、カットに際しては、ナイフ、カッター、剃刀等を用いてサンプルの切断面が潰れないようにカットする。次に、ＪＩＳ  Ｐ  ８１４１に規定する冶具にカット後のサンプルをセットし、試験液に水を用いて、６０秒後のクレム吸水高さを測定する。吸い上げ高さの判別を容易にするため、青色１号やメチレンブルー等の染料で試験液を適宜着色してもよい。以上の測定を５回行い、その平均値を、非肌側シート５のクレム吸水高さとする。尚、測定環境温度は２２℃とする。表面シート２１も非肌側シート５と同様にして、吸収性本体から取り出して測定する。
【００６３】
また、着用者の汗が吸収性コア２３１側に移行し易い効果を一層奏する観点から、表面シート２１又は非肌側シート５は、イオン交換水の飽和吸水量が、７５ｇｓｍ以上であることが好ましく、１００ｇｓｍ以上であることが更に好ましい。表面シート２１又は非肌側シート５の飽和吸水量の上限に特に制限はないが、３００ｇｓｍであれば十分に満足すべき効果が得られる。
表面シート２１又は非肌側シート５の飽和吸水量は、下記の方法により測定する。
【００６４】
〔飽和吸水量の測定方法〕
非肌側シートを幅５０ｍｍ、長さ５０ｍｍに切断して，測定試料を作製する。測定試料を、２５℃に調温したイオン交換水に浸漬させる。浸漬開始から５分後に試料をイオン交換水から取り出し、３０秒間垂直状態に吊るして水切りする。吸水後の試料の質量を測定し、次式に従って目的とする飽和吸収量を算出する。飽和吸収量（ｇ／ｇ）＝（吸水後の試料の質量（ｇ）−吸水前の試料の質量（ｇ））/（測定試料面積  ０.０５ｍ×０.０５ｍ）として算出する。以上の測定を５回行い、その平均値を、非肌側シートの飽和吸収量とする。
【００６５】
以上、本発明をその好ましい実施形態に基づき説明したが、本発明は上述した実施形態に制限されず適宜変更可能である。
例えば、上述したおむつ１は、外装体３を構成する肌側シート４は、図２に示すように、１枚の外層シート６の折り返し部分６Ｒで形成されているが、外層シート６とは別体のシート（不織布）であってもよい。このような別体の肌側シート４を配置する場合、腹側ウエストフラップＦＡ及び背側ウエストフラップＦＢの内の少なくとも背側ウエストフラップＦＢにのみ、別体の肌側シート４を配置すればよい。
【００６６】
また、おむつ１では、図３に示すように、少なくとも背側ウエストフラップＦＢが備える親水性の非肌側シート５は１枚であるが、複数枚であってもよい。このように親水性の非肌側シート５が複数枚である場合、着用者の肌から離れるほど、親水性が強くなる方が好ましい。即ち、肌側シート４に隣接する非肌側シートに比べて、肌側シート４から離れるに従って、上述した構成繊維全体に対する親水性繊維の配合率、上述した非肌側シートの坪量、上述したクレム吸水高さ及び上述した飽和吸水量の少なくとも何れか１つが、肌側シート４に隣接する非肌側シートの値よりも大きくなっていることが好ましい。
【００６７】
また、おむつ１の外装体３では、図２に示すように、外層シート６と非肌側シート５とが複数の熱融着による接合部８により接合固定され、肌側シート４と非肌側シート５とが接着剤９を介して固定されているが、接着剤９が配されていなくてもよい。また、おむつ１の外装体３では、図２に示すように、外層シート６と非肌側シート５との間に弾性部材７１が配されているが、弾性部材７１が配されていなくてもよい。
【００６８】
また、上述した使い捨ておむつ１においては、図２に示すように、外装体３が腹側領域Ａ、股下領域Ｃ及び背側領域Ｂにわたる砂時計状等の連続した形状のパンツ型使い捨ておむつであるが、外装体３が、腹側外装体、背側外装体及び股下外装体に別部材として区分された分割型のパンツ型使い捨ておむつであってもよい。
【００６９】
また、上述した使い捨ておむつ１においては、図１に示すように、外装体３を有するパンツ型使い捨ておむつであるが、展開型の使い捨ておむつであってもよい。液透過性の表面シートと液難透過性の裏面シートと、これらシートの間に吸収体とを有する展開型の使い捨ておむつの場合、該表面シートが非肌側シート５に該当する。そして、該吸収体の縦方向Ｘの前後端部から外方に位置して横方向Ｙに延びる腹側ウエストフラップＦＡ及び背側ウエストフラップＦＢの内の少なくとも背側ウエストフラップＦＢに、肌当接面を形成する別体の肌側シート４を配置すればよい。
【００７０】
上述した実施形態に関し、さらに以下の使い捨ておむつを開示する。
＜１＞
縦方向に腹側領域および背側領域と、それらの間に位置する股下領域とを備え、前記腹側領域と前記背側領域とに亘って吸収体を有し、該吸収体の縦方向の前後端部それぞれから外方に位置して横方向に延びる腹側ウエストフラップ及び背側ウエストフラップを有する使い捨ておむつであって、少なくとも前記背側ウエストフラップは、肌当接面を形成する肌側シートを有し、前記肌側シートは、前記吸収体を構成する吸収性コアの縦方向の端部を覆って横方向に延びており、少なくとも前記吸収性コアと重なる領域に、該肌側シートを貫通する開口を有している、使い捨ておむつ。
＜２＞
前記肌側シートは、疎水性である前記＜１＞に記載の使い捨ておむつ。
＜３＞
前記使い捨ておむつは、前記吸収体を挟持する親水性の表面シート及び液難透過性の裏面シートを有し、前記吸収性コアと重なる領域においては、前記肌側シートの非肌対向面と前記表面シートの肌対向面とが接着剤を介して固定されている前記＜１＞又は＜２＞に記載の使い捨ておむつ。
＜４＞
前記肌側シートは、少なくとも前記吸収性コアと重なる領域に、横方向に連続して延びる線状融着部を有し、該線状融着部は、その密度が該肌側シートにおける該線状融着部以外の部分の密度よりも高い前記＜１＞〜＜３＞の何れか１に記載の使い捨ておむつ。
＜５＞
前記肌側シートは、少なくとも前記吸収性コアと重なる領域に、横方向に連続して延びる線状融着部を有し、前記開口は、前記横方向に連続して延びる線状融着部上に配されている前記＜１＞〜＜４＞の何れか１に記載の使い捨ておむつ。
【００７１】
＜６＞
前記開口は、前記吸収性コアと重なる領域のみならず、前記吸収性コアの縦方向に沿う両側縁から外方の領域にも形成されている前記＜１＞〜＜５＞の何れか１に記載の使い捨ておむつ。
＜７＞
複数の前記開口が、前記肌側シートの横方向の全域に配されている前記＜１＞〜＜６＞の何れか１に記載の使い捨ておむつ。
＜８＞
前記肌側シートの前記開口は、その直径Ｌ３が、０．５ｍｍ以上であることが好ましく、１ｍｍ以上であることが更に好ましく、５ｍｍ以下であることが好ましく、２．５ｍｍ以下であることが更に好ましい前記＜１＞〜＜７＞の何れか１に記載の使い捨ておむつ。
＜９＞
前記肌側シートの前記開口は、該開口一つの開口面積が、０．５ｍｍ2以上であることが好ましく、０．７５ｍｍ2以上であることが更に好ましく、１０ｍｍ2以下であることが好ましく、８ｍｍ2以下であることが更に好ましい前記＜１＞〜＜８＞の何れか１に記載の使い捨ておむつ。
＜１０＞
前記肌側シートと前記吸収性コアとが重なる領域の面積に対する前記開口面積の総計の比率は、１％以上であることが好ましく、３％以上であることがより好ましく、５０％以下であることが好ましく、３０％以下であることがより好ましい前記＜１＞〜＜９＞の何れか１に記載の使い捨ておむつ。
【００７２】
＜１１＞
前記肌側シートは、少なくとも前記吸収性コアと重なる領域に、横方向に連続して延びる線状融着部を有し、該線状融着部は、前記吸収性コアと重なる領域のみならず、前記吸収性コアの縦方向に沿う両側縁から外方の領域にも延びて形成されている前記＜１＞〜＜１０＞の何れか１に記載の使い捨ておむつ。
＜１２＞
前記肌側シートは、少なくとも前記吸収性コアと重なる領域に、横方向に連続して延びる線状融着部を有し、該線状融着部が前記肌側シートの横方向の全域に延びて形成されており、このように延びた前記線状融着部が、縦方向に間隔を空けて複数本（おむつ１では３本）配されている前記＜１＞〜＜１１＞の何れか１に記載の使い捨ておむつ。
＜１３＞
前記肌側シートは、少なくとも前記吸収性コアと重なる領域に、横方向に連続して延びる線状融着部を有し、該線状融着部は、１本以上３０本以下であることが好ましく、３本以上２０本以下であることが更に好ましい前記＜１＞〜＜１２＞の何れか１に記載の使い捨ておむつ。
＜１４＞
前記肌側シートは、少なくとも前記吸収性コアと重なる領域に、横方向に連続して延びる線状融着部を有し、前記肌側シートの前記線状融着部は、その縦方向の長さＬ４が、０．５ｍｍ以上であることが好ましく、１ｍｍ以上であることが更に好ましく、そして、５０ｍｍ以下であることが好ましく、３０ｍｍ以下であることが更に好ましい前記＜１＞〜＜１３＞の何れか１に記載の使い捨ておむつ。
＜１５＞
前記肌側シートは、少なくとも前記吸収性コアと重なる領域に、横方向に連続して延びる線状融着部を有し、縦方向に隣り合う前記線状融着部どうしの間隔Ｌ５は、０．５ｍｍ以上であることが好ましく、１ｍｍ以上であることが更に好ましく、５０ｍｍ以下であることが好ましく、３０ｍｍ以下であることが更に好ましい前記＜１＞〜＜１４＞の何れか１に記載の使い捨ておむつ。
【００７３】
＜１６＞
前記肌側シートは、少なくとも前記吸収性コアと重なる領域に、横方向に連続して延びる複数本の線状融着部を有し、各線状融着部上に前記開口が横方向に不均一な間隔を空けて配されている前記＜１＞〜＜１５＞の何れか１に記載の使い捨ておむつ。
＜１７＞
前記肌側シートは、少なくとも前記吸収性コアと重なる領域に、横方向に連続して延びる複数本の線状融着部を有し、縦方向に隣り合う前記線状融着部上に、各前記開口がランダムに配されている前記＜１＞〜＜１６＞の何れか１に記載の使い捨ておむつ。
＜１８＞
前記肌側シートは、その坪量が、３０ｇ／ｍ2以下であることが好ましく、２５ｇ／ｍ2以下であることがより好ましく、２０ｇ／ｍ2以下であることが更に好ましく、下限は８ｇ／ｍ2である前記＜１＞〜＜１７＞の何れか１に記載の使い捨ておむつ。
＜１９＞
前記使い捨ておむつは、前記吸収体を挟持する親水性の表面シート及び液難透過性の裏面シートを有し、前記吸収性コアと重なる領域においては、前記肌側シートの非肌対向面と前記表面シートの肌対向面とが接着剤を介して固定されており、前記肌側シートの非肌対向面に塗工された接着剤を介して、前記吸収性コアと重なる領域においては、前記肌側シートの非肌対向面と前記表面シート１の肌対向面とが固定されている前記＜１＞〜＜１８＞の何れか１に記載の使い捨ておむつ。
＜２０＞
前記腹側ウエストフラップ及び前記背側ウエストフラップに、それぞれ、前記肌側シートを備え、該肌側シートの非肌対向面側に位置する非肌側シートと、該非肌側シートの非肌対向面側に位置する外層シートとを有している前記＜１＞〜＜１９＞の何れか１に記載の使い捨ておむつ。
【００７４】
＜２１＞
前記腹側ウエストフラップ及び前記背側ウエストフラップに、それぞれ、前記肌側シートを備え、該肌側シートの非肌対向面側に位置する非肌側シートと、該非肌側シートの非肌対向面側に位置する外層シートとを有し、前記腹側領域及び前記背側領域それぞれにおける前記外層シートを構成するシート材が、ウエスト開口部の周縁部に沿って前記非肌側シートの肌対向面側に折り返されており、その折り返し部分が、吸収性本体を構成する前記吸収体の縦方向の前後端部を覆っている前記＜１＞〜＜２０＞の何れか１に記載の使い捨ておむつ。
＜２２＞
前記腹側ウエストフラップ及び前記背側ウエストフラップに、それぞれ、前記肌側シートを備え、該肌側シートの非肌対向面側に位置する非肌側シートと、該非肌側シートの非肌対向面側に位置する外層シートとを有し、前記背側ウエストフラップ及び前記腹側ウエストフラップは、前記非肌側シートと前記外層シートとが、散点状に配置された複数の接合部にて接合固定されて形成されている前記＜１＞〜＜２１＞の何れか１に記載の使い捨ておむつ。
＜２３＞
前記腹側ウエストフラップ及び前記背側ウエストフラップに、それぞれ、前記肌側シートを備え、該肌側シートの非肌対向面側に位置する非肌側シートと、該非肌側シートの非肌対向面側に位置する外層シートとを有し、前記腹側領域及び前記背側領域それぞれのウエスト伸縮部から胴回り下部伸縮部に亘る領域に、前記非肌側シートと前記外層シートとの接合部が、縦方向に沿って一列をなすように間欠的に配されており、その複数の前記接合部からなる接合部列が、横方向に間隔を開けて複数列配されている前記＜１＞〜＜２２＞の何れか１に記載の使い捨ておむつ。
＜２４＞
前記腹側ウエストフラップ及び前記背側ウエストフラップに、それぞれ、前記肌側シートを備え、該肌側シートの非肌対向面側に位置する非肌側シートと、該非肌側シートの非肌対向面側に位置する外層シートとを有し、前記腹側領域及び前記背側領域それぞれのウエスト伸縮部から胴回り下部伸縮部に亘る領域に、前記非肌側シートと前記外層シートとの接合部が、縦方向に沿って一列をなすように間欠的に配されており、縦方向に延びる前記接合部列を構成する縦方向に隣り合う接合部どうしの間隔は、１ｍｍ以上であることが好ましく、３ｍｍ以上であることがより好ましく、そして、２０ｍｍ以下であることが好ましく、１８ｍｍ以下であることがより好ましい前記＜１＞〜＜２３＞の何れか１に記載の使い捨ておむつ。
＜２５＞
前記腹側ウエストフラップ及び前記背側ウエストフラップに、それぞれ、前記肌側シートを備え、該肌側シートの非肌対向面側に位置する非肌側シートと、該非肌側シートの非肌対向面側に位置する外層シートとを有し、前記腹側領域及び前記背側領域それぞれのウエスト伸縮部から胴回り下部伸縮部に亘る領域に、前記非肌側シートと前記外層シートとの接合部が、縦方向に沿って一列をなすように間欠的に配されており、その複数の前記接合部からなる接合部列が、横方向に間隔を開けて複数列配されており、横方向に隣り合う前記接合部列どうしの間隔は、４ｍｍ以上であることが好ましく、６ｍｍ以上であることがより好ましく、２０ｍｍ以下であることが好ましく、１６ｍｍ以下であることがより好ましい前記＜１＞〜＜２４＞の何れか１に記載の使い捨て捨ておむつ。
【００７５】
＜２６＞
前記使い捨ておむつは、前記吸収体を挟持する親水性の表面シート及び液難透過性の裏面シートを有し、前記腹側ウエストフラップ及び前記背側ウエストフラップに、それぞれ、前記肌側シートを備え、該肌側シートの非肌対向面側に位置する非肌側シートと、該非肌側シートの非肌対向面側に位置する外層シートとを有し、前記表面シート又は前記非肌側シート５は、その坪量が、１０ｇ／ｍ2以上であることが好ましく、１５ｇ／ｍ2以上であることが更に好ましく、そして、４０ｇ／ｍ2以下であることが好ましく、３０ｇ／ｍ2以下であることが更に好ましい前記＜１＞〜＜２５＞の何れか１に記載の使い捨ておむつ。
＜２７＞
前記使い捨ておむつは、前記吸収体を挟持する親水性の表面シート及び液難透過性の裏面シートを有し、前記腹側ウエストフラップ及び前記背側ウエストフラップに、それぞれ、前記肌側シートを備え、該肌側シートの非肌対向面側に位置する非肌側シートと、該非肌側シートの非肌対向面側に位置する外層シートとを有し、前記表面シート又は前記非肌側シートは、その厚みが、１００μｍ以上であることが好ましく、１５０μｍ以上であることが更に好ましく、そして、５ｍｍ以下であることが好ましく、３ｍｍ以下であることが更に好ましい前記＜１＞〜＜２６＞の何れか１に記載の使い捨ておむつ。
＜２８＞
前記使い捨ておむつは、前記吸収体を挟持する親水性の表面シート及び液難透過性の裏面シートを有し、前記腹側ウエストフラップ及び前記背側ウエストフラップに、それぞれ、前記肌側シートを備え、該肌側シートの非肌対向面側に位置する非肌側シートと、該非肌側シートの非肌対向面側に位置する外層シートとを有し、前記表面シート又は前記非肌側シートは、その構成繊維全体に対する親水性繊維の配合率が、８０質量％以上であることが好ましく、９０質量％以上であることが更に好ましい前記＜１＞〜＜２７＞の何れか１に記載の使い捨ておむつ。
＜２９＞
前記使い捨ておむつは、前記吸収体を挟持する親水性の表面シート及び液難透過性の裏面シートを有し、前記腹側ウエストフラップ及び前記背側ウエストフラップに、それぞれ、前記肌側シートを備え、該肌側シートの非肌対向面側に位置する非肌側シートと、該非肌側シートの非肌対向面側に位置する外層シートとを有し、前記表面シート又は前記非肌側シートは、ＪＩＳ  Ｐ  ８１４１に準じて測定された３０ｍｍ幅のクレム吸水高さが、６０秒で２０ｍｍ以上であることが好ましく、６０秒で２５ｍｍ以上であることが更に好ましい前記＜１＞〜＜２８＞の何れか１に記載の使い捨ておむつ。
＜３０＞
前記使い捨ておむつは、前記吸収体を挟持する親水性の表面シート及び液難透過性の裏面シートを有し、前記腹側ウエストフラップ及び前記背側ウエストフラップに、それぞれ、前記肌側シートを備え、該肌側シートの非肌対向面側に位置する非肌側シートと、該非肌側シートの非肌対向面側に位置する外層シートとを有し、前記表面シート又は前記非肌側シートは、イオン交換水の飽和吸水量が、７５ｇｓｍ以上であることが好ましく、１００ｇｓｍ以上であることが更に好ましい前記＜１＞〜＜２９＞の何れか１に記載の使い捨ておむつ。
【００７６】
＜３１＞
該肌側シートの非肌対向面側に位置する非肌側シートと、該非肌側シートの非肌対向面側に位置する外層シートとを有し、親水性の前記非肌側シートが複数枚であり、着用者の肌から離れるほど、親水性が強くなる前記＜１＞〜＜３０＞の何れか１に記載の使い捨ておむつ。
＜３２＞
該肌側シートの非肌対向面側に位置する非肌側シートと、該非肌側シートの非肌対向面側に位置する外層シートとを有し、前記肌側シートに隣接する非肌側シートに比べて、前記肌側シートから離れるに従って、構成繊維全体に対する親水性繊維の配合率、前記非肌側シートの坪量、クレム吸水高さ及び飽和吸水量の少なくとも何れか１つが、前記肌側シートに隣接する前記非肌側シートの値よりも大きくなっている前記＜１＞〜＜３１＞の何れか１に記載の使い捨ておむつ。
【符号の説明】
【００７７】
１  パンツ型使い捨ておむつ（吸収性物品）
２  吸収性本体
２１  表面シート
２２  裏面シート
２３  吸収体
２４  防漏カフ
２５  防漏カフ形成用弾性部材
３  外装体
４  肌側シート
４５  開口
４６  線状融着部
５  非肌側シート
６  外層シート
７１  弾性部材
７２  レッグ弾性部材
８  接合部
８Ｌ  接合部列
９  接着剤
Ａ  腹側領域、Ｂ  背側領域、Ｃ  股下領域
【図１】
0006732367.tif 000002
【図２】
0006732367.tif 000003
【図３】
0006732367.tif 000004
【図４】
0006732367.tif 000005